(57)【要約】【課題】加熱炉内の風の影響を受けることなく加熱炉内で眼鏡用レンズを保持できる染色用レンズ保持具を提供する。【解決手段】眼鏡用レンズ２を収容する閉じた空間を形成可能な外殻部４を備える。眼鏡用レンズ２を前記外殻部４の内部でレンズ面２ａ，２ｂが上下方向を指向するとともに水平方向への移動が規制されるように支える載置部５を備える。外殻部４は、レンズ用出入口６が形成された本体７と、レンズ用出入口６に接続された蓋体８とによって構成されている。【選択図】  図１
2012133279.tif 000002
【特許請求の範囲】
【請求項１】
眼鏡用レンズを収容する閉じた空間を形成可能な外殻部と、
前記眼鏡用レンズを前記外殻部の内部でレンズ面が上下方向を指向するとともに水平方向への移動が規制されるように支える載置部とを備え、
前記外殻部は、レンズ用出入口が形成された本体と、前記レンズ用出入口に接続された蓋体とによって構成されていることを特徴とする染色用レンズ保持具。
【請求項２】
請求項１記載の染色用レンズ保持具において、前記本体は、前記レンズ用出入口が上方に向けて開口するすり鉢状に形成され、
前記載置部は、前記本体の内周部に階段状に形成された複数の平面視円環状の段部によって構成されていることを特徴とする染色用レンズ保持具。
【請求項３】
請求項１または請求項２記載の染色用レンズ保持具において、前記外殻部は、前記本体に前記蓋体を開閉自在に連結する連結部をさらに備えていることを特徴とする染色用レンズ保持具。
【請求項４】
請求項１ないし請求項３のうちいずれか１つに記載の染色用レンズ保持具において、前記本体と前記蓋体とのうち少なくとも蓋体には、前記外殻部の内部と外部とを連通する連通口が形成されているとともに、この連通口の開口面積を変更可能な蓋部材が取付けられていることを特徴とする染色用レンズ保持具。
【発明の詳細な説明】
【技術分野】
【０００１】
本発明は、染料が付着した眼鏡用レンズを熱風炉で加熱するときに使用する染色用レンズ保持具に関するものである。
【背景技術】
【０００２】
従来、眼鏡用レンズに着色する方法の一つに昇華染色法がある。この昇華染色法は、先ず、昇華性染料を昇華させて眼鏡レンズに付着させ、その後、眼鏡用レンズを加熱炉内で加熱して眼鏡レンズに前記染料を浸透させることにより実施する。
従来の前記加熱炉は、炉内の温度を所定の温度に保つために、高温の空気を炉内で循環させる構造のものが多い。
【０００３】
ところで、眼鏡用として使用されるプラスチックレンズは、たとえば特許文献１に記載されているように、アニールのために加熱炉で加熱されることがある。特許文献１に開示されているプラスチックレンズの製造方法は、プラスチックレンズをアニール用のレンズ保持具に保持された状態で加熱炉に装填して実施される。このレンズ保持具は、プラスチックレンズの熱変形を抑えるためのもので、プラスチックレンズを収容可能なリング状に形成されている。
【０００４】
このレンズ保持具の内周部には、レンズ面が上下方向を指向する状態でプラスチックレンズの外周部を支承するレンズ載置部が設けられている。このレンズ載置部には、作業者がプラスチックレンズを把持するときに指を挿入できるように切り欠きが形成されることがある。この場合のレンズ載置部は、プラスチックレンズの外周部を複数の支持点で支持することになる。
このようなレンズの熱変形を抑制するレンズ保持具は、染料が付着した眼鏡用レンズを加熱炉内で加熱する場合にも使用することがあった。
【先行技術文献】
【特許文献】
【０００５】
【特許文献１】特開平７−１０８６２２号公報
【発明の概要】
【発明が解決しようとする課題】
【０００６】
しかしながら、染料が付着した眼鏡用レンズを加熱炉で加熱すると、染料の浸透時に浸透斑が生じてしまうことがあった。この主な原因は、高温の空気が加熱炉の炉内を流れ、レンズ面に当たるからである。すなわち、レンズ面には、加熱炉内の高温な空気が当たった相対的に温度が高い部位と、前記空気が当たらない相対的に温度が低い部位とが生じる。このようにレンズ面の温度が不均等になるために、上述したように浸透斑が形成されると考えられる。
【０００７】
また、レンズの外周部を複数の支持点で支承する構造のレンズ保持具を使用した場合（特許文献１参照）は、レンズ保持具に接触している部位と、そうでない部位とでレンズの温度が異なり、レンズに温度勾配が生じる。このような場合は、染料の浸透する条件が均等ではなくなるために、上述したように浸透斑が生じることになる。
【０００８】
本発明はこのような問題を解消するためになされたもので、加熱炉内の風の影響を受けることなく加熱炉内で眼鏡用レンズを保持できる染色用レンズ保持具を提供することを第１の目的とする。また、前記染色用レンズ保持具において、眼鏡用レンズに温度勾配が生じることがないようにすることを第２の目的とする。
【課題を解決するための手段】
【０００９】
この目的を達成するために、本発明に係る染色用レンズ保持具は、眼鏡用レンズを収容する閉じた空間を形成可能な外殻部と、前記眼鏡用レンズを前記外殻部の内部でレンズ面が上下方向を指向するとともに水平方向への移動が規制されるように支える載置部とを備え、前記外殻部は、レンズ用出入口が形成された本体と、前記レンズ用出入口に接続された蓋体とによって構成されているものである。
【００１０】
本発明は、前記発明において、前記本体は、前記レンズ用出入口が上方に向けて開口するすり鉢状に形成され、前記載置部は、前記本体の内周部に階段状に形成された複数の平面視円環状の段部によって構成されているものである。
【００１１】
本発明は、前記発明において、前記外殻部は、前記本体に前記蓋体を開閉自在に連結する連結部をさらに備えているものである。
【００１２】
本発明は、前記発明において、前記本体と前記蓋体とのうち少なくとも蓋体には、前記外殻部の内部と外部とを連通する連通口が形成されているとともに、この連通口の開口面積を変更可能な蓋部材が取付けられているものである。
【発明の効果】
【００１３】
本発明に係る染色用レンズ保持具は、眼鏡用レンズが載置部に載置され、本体のレンズ出入口に蓋体が接続されることによって、加熱炉で加熱可能な状態になる。加熱炉内の熱は、前記染色用レンズ保持具を介して眼鏡用レンズに伝達される。加熱時に加熱炉内を流れる空気は、染色用レンズ保持具の外殻部で遮られるために、眼鏡用レンズに当たることはない。
したがって、加熱炉内の風の影響を受けることなく眼鏡用レンズを加熱炉内で加熱することが可能な染色用レンズ保持具を提供することができる。
【図面の簡単な説明】
【００１４】
【図１】本発明に係る染色用レンズ保持具の構成を説明するための断面図である。
【図２】本発明に係る染色用レンズ保持具の実施の形態を示す斜視図である。
【図３】外殻部の本体を示す図で、同図（Ａ）は平面図、同図（Ｂ）は（Ａ）図におけるＢ−Ｂ線断面図である。
【図４】外殻部の蓋体を示す図で、同図（Ａ）は平面図、同図（Ｂ）は（Ａ）図におけるＢ−Ｂ線断面図である。
【図５】連結用ピンの正面図である。
【図６】眼鏡用レンズを保持している状態を示す染色用レンズ保持具の断面図である。
【図７】他の実施の形態による外殻部の本体を示す図で、同図（Ａ）は平面図、同図（Ｂ）は（Ａ）図におけるＢ−Ｂ線断面図である。
【図８】他の実施の形態による外殻部の蓋体を示す図で、同図（Ａ）は平面図、同図（Ｂ）は（Ａ）図におけるＢ−Ｂ線断面図である。
【発明を実施するための形態】
【００１５】
（第１の実施の形態）
以下、本発明に係る染色用レンズ保持具の一実施の形態を図１〜図６によって詳細に説明する。
本発明に係る染色用レンズ保持具の具体的な実施の形態を説明する前に、先ず、図１によって染色用レンズ保持具の基本的な構成について説明する。
【００１６】
図１に示す染色用レンズ保持具１は、染料（図示せず）を付着させた眼鏡用レンズ２を保持し、図示していない加熱炉内に装填するためのものである。前記染料は、昇華染色法や転写法などによってレンズ面２ａ，２ｂに付着されている。本発明に係るレンズ保持具１は、一方のレンズ面のみに染料が付着している眼鏡用レンズや、両方のレンズ面にそれぞれ染料が付着している眼鏡用レンズを保持することができるものである。
【００１７】
この染料は、加熱炉内で眼鏡用レンズ２が加熱されることによって、レンズ面２ａ，２ｂ内に浸透し、レンズ２を染色する。
前記加熱炉は、炉内に高温の空気を循環させる、いわゆる熱風炉と呼称されているもので、レンズ保持具１を載せるための支持台３を備えている。この支持台３は、多数のレンズ保持具１を載せることができる大きさに形成されている。
【００１８】
レンズ保持具１は、眼鏡用レンズ２を収容する閉じた空間Ｓを形成可能な外殻部４と、眼鏡用レンズ２を外殻部４の内部で支える載置部５とを備えている。
前記外殻部４は、レンズ用出入口６が形成された本体７と、前記レンズ用出入口６に接続された蓋体８とによって構成されている。本体７と蓋体８とは、図１に示すように上下方向に分割可能に形成する他に、図示してはいないが、水平方向に分割可能に形成することができる。
【００１９】
前記載置部５は、眼鏡用レンズ２のレンズ面２ａ，２ｂが上下方向を指向するとともに、水平方向への移動が規制されるように眼鏡用レンズを支えるように構成されている。なお、載置部５は、眼鏡用レンズ２を凹面（レンズ面２ａ）が上方を指向する状態で支える構成に限定されることはなく、眼鏡用レンズ２の凸面（レンズ面２ｂ）が上方を指向する状態で支える構成を採ることが可能である。
【００２０】
この染色用レンズ保持具１に眼鏡用レンズ２を保持させるためには、先ず、本体７から蓋体８を外してレンズ用出入口６を露出させる。次に、染料が付着している眼鏡用レンズ２をレンズ用出入口６に上方から挿入し、載置部５に載置させる。しかる後、蓋体８を本体７に接続し、レンズ用出入口６を閉塞する。このように本体７に蓋体８が接続されることによって、眼鏡用レンズ２が閉じた空間Ｓ内に収容され、加熱炉で加熱可能な状態になる。
【００２１】
眼鏡用レンズ２を上述したように収容したレンズ保持具１は、加熱炉の支持台３の上に載せられる。加熱時において、加熱炉内の熱は、レンズ保持具１を介して眼鏡用レンズ２に伝達される。加熱時に加熱炉内を流れる空気は、レンズ保持具１の外殻部４で遮られるために、眼鏡用レンズ２に当たることはない。
したがって、加熱炉内の風の影響を受けることなく眼鏡用レンズ２を加熱炉内で加熱することが可能な染色用レンズ保持具１を提供することができる。
【００２２】
次に、本発明に係る染色用レンズ保持具の具体的な実施の形態を図２〜図４によって詳細に説明する。これらの図において、前記図１によって説明したものと同一もしくは同等の部材については、同一符号を付し詳細な説明を適宜省略する。
図２に示すレンズ保持具１の外殻部４は、本体７の上に蓋体８が重ねられる構造のもので、詳細は後述するが、前記本体７に前記蓋体８を開閉自在に連結する連結部１１を備えている。この実施の形態による本体７と蓋体８とは、金属または耐熱性を有するプラスチックによって形成されている。本体７と蓋体８を形成する金属材料としては、たとえばアルミニウム合金が挙げられる。また、前記耐熱性を有するプラスチックとしては、たとえばフッ素樹脂がある。
【００２３】
この実施の形態による前記本体７は、図３に示すように、レンズ用出入口６が上方に向けて開口するすり鉢状に形成されている。この本体７の内周部は、上方に向かうにしたがって内径が次第に大きくなるように階段状に形成されている。このため、本体７には、図３（Ａ）に示すように、平面視において、多数の円環状の段部１２が同心円状に形成されている。この実施の形態においては、このように本体７の内周部に階段状に形成された複数の平面視円環状の段部１２によって、載置部５が構成されている。
【００２４】
この載置部５を構成する各段部１２は、図３（Ｂ）に示すように、平面視円環状の水平な載置面１２ａと、この載置面１２ａの外周縁から上方に延びる円筒面１２ｂとによって構成されている。各段部１２の円筒面１２ｂの高さは一定である。また、段部１２の内径（本体７における円筒面１２ｂが形成されている部分の内径）は、眼鏡用レンズ２が挿入可能な大きさに形成されている。
【００２５】
最も上に位置する段部１２の内径は、最も大きな外径の眼鏡用レンズ２を載せることができるような大きさに形成されている。その他の段部１２の内径は、上から下に向かうにしたがって一定寸法ずつ小さくなるように形成されている。この実施の形態による載置部５においては、最も上に位置する段部１２の内径はφ９０に形成され、その他の段部１２の内径は、上から下に向かうにしたがってφ２ずつ小さくなるように形成されている。最も下に位置する段部１２の内径はφ５０である。このように形成された載置部５においては、φ６０〜φ８０に形成されている一般的な眼鏡用レンズ２の全てを保持することができる。なお、図３は、載置部５の構成を理解し易いように、段部１２の数を減らした状態で描いてある。
【００２６】
本体７の上端部には、連結部１１の一部を構成する一対の支持片１３，１４が一体に形成されている。これらの支持片１３，１４は、所定の間隔をおいて互いに対向するように形成されている。また、これらの支持片１３，１４には、連結用ピン１５（図５および図６参照）が挿通される貫通孔１６が穿設されている。この貫通孔１６は、両支持片１３，１４を水平方向に貫通するように形成されている。前記連結用ピン１５は、図６に示すように、軸部１５ａと頭部１５ｂとによって構成されている。軸部１５ａには、図示してはいないが、支持片１３，１４から抜けることを防ぐために脱落防止構造が採られている。この脱落防止構造としては、軸部１５ａに螺着するナットや割ピンなどが挙げられる。
【００２７】
この実施の形態による蓋体８は、図４に示すように、下方に向けて開口するすり鉢状に形成されている。蓋体８のすり鉢状の部分は、前記本体７のすり鉢状の部分と同一の形状、寸法に形成されている。この蓋体８の内周部には、多数の段部２１が形成されている。これらの段部２１は、前記本体７の載置部５と同一となるように形成されている。すなわち、蓋体８の内周部は、下方に向かうにしたがって内径が次第に大きくなるように階段状に形成されている。このため、蓋体８には、下方から見て多数の円環状の段部２１が同心円状に形成されている。
【００２８】
蓋体８の各段部２１は、図４（Ｂ）に示すように、下方から見て円環状の水平な面２１ａと、この面２１ａの外周縁から下方に延びる円筒面２１ｂとによって構成されている。各段部２１の円筒面２１ｂの高さは一定である。各段部２１の内径は、下から上に向かうにしたがって一定寸法ずつ小さくなるように形成されている。なお、図４は、段部２１の数を減らした状態で描いてある。
【００２９】
このように蓋体８に多数の段部２１を形成することによって、蓋体８を本体７の上に重ねた状態で眼鏡用レンズ２の上方に隙間が形成されるようになる。このため、眼鏡用レンズ２の上端部が蓋体８に接触することを防ぐことができる。
蓋体８の下端部には、前記本体７の支持片１３，１４と協働して連結部１１を構成する連結片２２が一体に形成されている。この連結片２２は、前記一対の支持片１３，１４どうしの間に挿入できる大きさに形成されている。また、この連結片２２には、前記連結用ピン１５が挿通される貫通孔２３が穿設されている。蓋体８は、前記連結用ピン１５を前記支持片１３，１４と連結片２２とに挿通させることによって、この連結用ピン１５を介して本体７に開閉自在に連結される。
【００３０】
この実施の形態によるレンズ保持具１に眼鏡用レンズ２を保持させるためには、先ず、図６中に二点鎖線で示すように、蓋体８の回動端部を上方に持ち上げて蓋体８を開き、本体７の上端部に開口しているレンズ用出入口６を露出させる。そして、眼鏡用レンズ２をレンズ用出入口６に上方から挿入し、載置部５の所定の段部１２に載置させる。このように眼鏡用レンズ２を載置部５に載せることによって、眼鏡用レンズ２の外周部が全周にわたって段部１２に支承される。
【００３１】
この状態においては、眼鏡用レンズ２の外周面が段部１２の円筒面１２ｂと対向するようになるから、眼鏡用レンズ２の水平方向への移動が規制される。すなわち、レンズ保持具１を僅かに傾斜させたとしても、眼鏡用レンズ２がレンズ保持具１内で大きく遊動することはない。
眼鏡用レンズ２が載置部５に載置された後、図６中に実線で示すように、蓋体８を閉じ、本体７の上端部に重ねる。このように蓋体８が閉じられることによって、眼鏡用レンズ２の周囲に閉空間Ｓが形成される。このため、レンズ保持具１で眼鏡用レンズ２の周囲全域を覆うことができるから、加熱時に加熱炉内を流れる空気が眼鏡用レンズ２に当たることを確実に防ぐことができ、むらが生じないように染色を行うことができる。
【００３２】
この実施の形態による前記本体７は、レンズ用出入口６が上方に向けて開口するすり鉢状に形成されている。また、この実施の形態による前記載置部５は、前記本体７の内周部に階段状に形成された複数の平面視円環状の段部１２によって構成されている。このため、眼鏡用レンズ２は、複数の段部１２のうち、外周部と対応する位置にある段部１２に支承される。眼鏡用レンズ２が段部１２に支承されている状態において、眼鏡用レンズ２の外周部は、周方向の全域にわたって段部１２に接触する。この結果、この実施の形態によれば、加熱時に眼鏡用レンズ２の外周部が均等に加熱されるから、より一層むらが生じ難い染色用レンズ保持具１を提供することができる。
【００３３】
この実施の形態による外殻部４は、前記本体７に前記蓋体８を開閉自在に連結する連結部１１を備えている。このため、蓋体８を開くことによってレンズ用出入口６が露出するから、眼鏡用レンズ２を外殻部４に対して出し入れする作業を容易に行うことができる。
【００３４】
（第２の実施の形態）
本発明に係る染色用レンズ保持具は、図７および図８に示すように、外殻部内を換気可能に構成することができる。
図７および図８において、前記図１〜図６によって説明したものと同一もしくは同等の部材については、同一符号を付し詳細な説明を適宜省略する。
【００３５】
図７に示す本体７と、図８に示す蓋体８は、図２〜図６に示したものとは後述する換気構造３１，３２を除いて同一となるように形成されている。
図７に示す本体７の換気構造３１は、本体７の底壁７ａに形成された連通口３３と、前記底壁７ａの下部に連結用ピン３４によって取付けられた蓋部材３５とによって構成されている。一方、図８に示す蓋体８の換気構造３２は、蓋体８の上壁８ａに形成された連通口３６と、前記上壁８ａの上部に連結用ピン３７によって取付けられた蓋部材３８とによって構成されている。
【００３６】
前記本体７の連通口３３は、本体７の内部と外部とを連通するように本体７の底壁７ａに穿設されている。前記蓋体８の連通口３６は、蓋体８の内部と外部とを連通するように蓋体８の上壁８ａに穿設されている。
前記蓋部材３５，３８は、それぞれ円板によって形成されており、ピン３４，３７によって本体７や蓋体８に回動自在に取付けられている。
蓋部材３５，３８は、図７（Ａ）および図８（Ａ）に示すように、前記連通口３３，３６の穴径より大きく形成されている。蓋部材３５，３８を形成する材料は、本体７や蓋体８を形成する材料と同一のものを用いることができる。
【００３７】
前記連結用ピン３４，３７は、前記底壁７ａや上壁８ａを上下方向に貫通しており、蓋部材３５，３８を回動自在に支持している。このピン３４，３７によって支持された蓋部材３５，３８は、図７（Ａ）および図８（Ａ）中に実線で示す閉塞位置と、これらの図において二点鎖線で示す開放位置との間で回動することができる。蓋部材３５，３８が閉塞位置に位置している状態においては、連通口３３，３６が蓋部材３５，３８によって閉塞される。蓋部材３５，３８が開放位置に位置している状態においては、連通口３３，３６が開放され、本体７や蓋体８の内部と外部とが連通される。蓋部材３５，３８が前記閉塞位置と前記開放位置との間に位置している状態においては、連通口３３，３６の開口面積を変えることができ、連通口３３，３６を通る空気の量を調整することができる。
【００３８】
この実施の形態によるレンズ保持具１は、外殻部４内に眼鏡用レンズ２を収容した後に本体７の連通口３３と蓋体８の連通口３６とを開口面積が所定の大きさとなるように開くことができる。このため、この実施の形態によれば、外殻部４内を換気可能な状態で加熱炉によって加熱することができる。この結果、加熱中に外殻部４内の圧力が過度に上昇したり、眼鏡用レンズ２の周囲に染色を妨げるようなガスが滞留することを防ぐことができるから、さらに良好な染色結果を得ることができる。なお、この実施の形態においては本体７と蓋体８の両方にそれぞれ換気構造３１，３２を設ける例を示したが、換気構造は、本体７と蓋体８とのうち、少なくとも蓋体８にあればよい。
【００３９】
また、上述した第１、第２の実施の形態に示す蓋体８は、連結部１１を除く他の部分が本体７と同一となるように形成されている。このため、加熱炉内で空気が流動することがないか、流動したとしても無視できる程度であるような場合は、眼鏡用レンズ２を本体７と蓋体８との両方に支持させて加熱炉に装填することができる。この場合は、連結部１１の連結用ピン１５を引き抜いて蓋体８を本体７から外し、この蓋体８を上下方向に反転させて使用する。
【符号の説明】
【００４０】
１…染色用レンズ保持具、４…外殻部、５…載置部、７…本体、８…蓋体、１１…連結部、１２，２１…段部、１５…連結用ピン、３３，３６…連通口、３５，３８…蓋部材。
【図１】
2012133279.tif 000003
【図２】
2012133279.tif 000004
【図３】
2012133279.tif 000005
【図４】
2012133279.tif 000006
【図５】
2012133279.tif 000007
【図６】
2012133279.tif 000008
【図７】
2012133279.tif 000009
【図８】
2012133279.tif 000010